(57)【要約】  シャワーオーディオシステムは、シャワーヘッドの外縁部の周りに取り外し可能に取り付けるよう構成されたハウジングを有するスピーカーユニットを含む。ハウジングは、スピーカーユニット部品のための防水性の筐体であり、部品は、スピーカー（ウーファー、ミッドレンジスピーカー、ツイーター、およびクロスオーバーなどのなどのスピーカードライバをさまざま含むことができる）、音源コネクタ、オーディオ入力データおよび出力音声を処理するオーディオ電子機器、および電源を含む。使用者のアクセスを容易にするために、オン／オフスイッチ、音量制御，および／または音源入力切替などの制御ボタンがハウジングの外面に取り付けられる。オーディオシステムはまた、例えば、スマートフォンなどの外部デバイスとすることができる音源を含む。オーディオシステムは、シャワーヘッドのシャワーの流れの邪魔にならないところに取り付けられたスピーカーユニットを介して、シャワーの外に配置された音源から無線でストリーミングされるオーディオをレンダリングする。
2017513348.tif 000002
【特許請求の範囲】
【請求項１】
シャワーヘッドオーディオスピーカーシステムであって、
シャワーヘッドを受け入れるよう構成された穴を備えるスピーカーユニットハウジングと、
前記スピーカーユニットハウジング上、または内のいずれか一方に設けられた第１連結機構であって、前記スピーカーユニットハウジングを前記シャワーヘッドに取り外し可能に取り付けられるように構成された第１連結機構と、
前記スピーカーユニットハウジング内に取り付けられるとともに、前記スピーカーユニットハウジングによって囲まれたオーディオ電子機器と、
を備える、シャワーヘッドオーディオスピーカーシステム。
【請求項２】
水源に流体連結されたシャワーヘッドをさらに備える、請求項１に記載のシャワーヘッドオーディオスピーカーシステム。
【請求項３】
前記シャワーヘッド上、および内のいずれか一方に設けられた第２連結機構であって、前記スピーカーユニットハウジングを前記シャワーヘッドの外縁部に取り外し可能に取り付けられるように前記第１連結機構と協働するよう構成された、第２連結機構をさらに備える、請求項２に記載のシャワーヘッドオーディオスピーカーシステム。
【請求項４】
前記第１連結機構が磁気連結器である、請求項３に記載のシャワーヘッドオーディオスピーカーシステム。
【請求項５】
前記磁気連結器が前記スピーカーハウジングユニット内に取り付けられるとともに、前記スピーカーハウジングユニットによって囲まれた第１の複数の磁石を備える、請求項４に記載のシャワーヘッドオーディオスピーカーシステム。
【請求項６】
前記第２連結機構が前記シャワーヘッド内に取り付けられるとともに、前記シャワーヘッドによって囲まれた第２の複数の磁石を備える、請求項５に記載のシャワーヘッドオーディオスピーカーシステム。
【請求項７】
前記第１の複数の磁石の磁石の数が、前記第２の複数の磁石の磁石の数より多いか、等しいか、または少ない、請求項６に記載のシャワーヘッドオーディオスピーカーシステム。
【請求項８】
複数の磁石と、
複数の磁気吸着部材と、
をさらに備え、前記第１連結機構が前記複数の磁石および前記複数の磁気吸着部材の一方を備え、前記第２連結機構が前記複数の磁石および前記複数の磁気吸着部材の他方を備える、請求項３に記載のシャワーヘッドオーディオスピーカーシステム。
【請求項９】
前記第１および第２連結機構が、
相補的なフックおよびループ留め具、
相補的なクリップ、および
摩擦嵌合係合部材
の少なくとも１つ備える、請求項３に記載のシャワーヘッドオーディオスピーカーシステム。
【請求項１０】
前記穴の外面および前記シャワーヘッドの外縁に設けられた相補的な位置合わせ部材をさらに備え、前記相補的な位置合わせ部材は、前記第１連結機構を前記第２連結機構に位置合わせし、前記スピーカーユニットハウジングおよび前記シャワーヘッド間の連結を容易にする、請求項３に記載のシャワーヘッドオーディオスピーカーシステム。
【請求項１１】
前記スピーカーユニットハウジングに取り付けられる、摩擦促進材料を備える滑り止め部品を前記穴内に少なくとも部分的にさらに備える、請求項１に記載のシャワーヘッドオーディオスピーカーシステム。
【請求項１２】
前記滑り止め部品が前記スピーカーユニットハウジングに一致する外側寸法、およびシャワーヘッドの外縁部に一致する内側寸法を有し、前記滑り止め部品は、前記スピーカーユニットハウジングを異なる対応するシャワーヘッドに適合させるために他の滑り止め部品に交換可能である、請求項１１に記載のシャワーヘッドオーディオスピーカーシステム。
【請求項１３】
前記オーディオ電子機器に連通可能に連結されたスピーカーおよび電源をさらに備える、請求項１に記載のシャワーヘッドオーディオスピーカーシステム。
【請求項１４】
前記電源が、
バッテリー、および
前記シャワーヘッドを通る水の流れによって発電する発電機
の少なくとも１つを備える、請求項１３に記載のシャワーヘッドオーディオスピーカーシステム。
【請求項１５】
前記オーディオ電子機器が少なくとも１つのオーディオ入力源を備える、請求項１に記載のシャワーヘッドオーディオスピーカーシステム。
【請求項１６】
前記オーディオ電子機器が、前記少なくとも１つのオーディオ入力源への無線インターフェースを提供するトランシーバーを備える、請求項１５に記載のシャワーヘッドオーディオスピーカーシステム。
【請求項１７】
前記オーディオ電子機器が、１または複数の外部ジャックを介する前記少なくとも１つのオーディオ入力への有線インターフェースを備える、請求項１５に記載のシャワーヘッドオーディオスピーカーシステム。
【請求項１８】
前記オーディオ電子機器が前記少なくとも１つのオーディオ入力源を制御するために、前記スピーカーハウジングユニット上、または前記スピーカーハウジングユニット外部に少なくとも１つのアクセス可能な入力機構を備える、請求項１５に記載のシャワーヘッドオーディオスピーカーシステム。
【請求項１９】
前記スピーカーハウジングユニットが水密性である、請求項１に記載のシャワーヘッドオーディオスピーカーシステム。
【請求項２０】
シャワーヘッドオーディオスピーカーシステムであって、
スプレー面に形成された複数の流体放出ノズルを有するスプレー面、および
前記スプレー面から離れる方向に実質的に垂直に延在する外周面
を備える、シャワーヘッドと、
前記外周面に係合するよう構成された穴、および
水密リング形状スピーカーユニットによって囲まれたスピーカーユニット部品
を備える、水密リング形状スピーカーユニットと、
前記水密リング形状スピーカーユニットを前記シャワーヘッドに取り外し可能に連結する連結機構と、
を備える、シャワーヘッドオーディオスピーカーシステム。
【請求項２１】
前記水密リング形状スピーカーユニットに取り付けられた水密ハウジングをさらに備え、前記スピーカー部品が前記水密ハウジング内に取り付けられるとともに、前記水密ハウジング内に密閉される、請求項２０に記載のシャワーヘッドオーディオスピーカーシステム。
【請求項２２】
前記オーディオ電子機器が外部デバイスからのオーディオ信号を受信するための有線および無線データインターフェースの少なくとも１つを備え、前記オーディオ信号は、前記スピーカーユニット部品によって聞こえるように再生可能である、請求項２０に記載のシャワーヘッドオーディオスピーカーシステム。
【発明の詳細な説明】
【技術分野】
【０００１】
関連仮出願への相互参照
本願は、２０１４年３月１８日に出願された米国仮出願番号６１／９５４７９７号の利益を主張し、その開示全体は、参照として本明細書に組み込まれている。
【０００２】
技術分野
本発明は、概してシャワーで使用されるオーディオシステムに関連する。
【背景技術】
【０００３】
シャワーは、新しい一日を始める準備をしながらニュース、天気、または音楽を聴くのにちょうど良い場所となり得、そうでなければ退屈なルーチンを有益な、面白い、および単純に楽しいものにする。シャワーで使用するよう開発されたオーディオシステムは、シャワー内で使用するよう設計されるシステムが防水でなければならないということ以外は、シャワー外のオーディオシステムと多くの機構を共有する。典型的なオーディオシステムと同様に、シャワーオーディオシステムのための音源は変化し得る。シャワーオーディオシステムのためにＡＭ／ＦＭラジオチューナーおよび／またはコンパクトディスク（ＣＤ）などの音源を使用することがよく知られている。
【０００４】
従来のシャワーオーディオシステムは、シャワーアームから吊るすか、または吸引カップまたは他の留め具を用いてシャワーの壁または周囲に取り付けるように設計された独立のユニットを含む。システムの形状因子の考慮は、機能に関する考慮の次になされるということを考えれば、これらのシステムは、ＣＤなどの大きい媒体源を含む多くの異なるタイプ音源を受け入れられるという利点を有する。しかし、これらの独立のシャワーオーディオシステムは、非常に目立つ傾向にあり、協調された審美的なデザインに適合することは少ない。オーディオシステムが統合されたシャワーヘッドも開発されてきた。このような統合システムは、独立システムに関連したデザインのいくつかの欠点を解決するが、これらは、シャワーヘッドから出る水の流れパターンを変える必要が、シャワーヘッド自体の機能性を低減する。
【発明の概要】
【発明が解決しようとする課題】
【０００５】
一般的に言えば、本発明の目的は、従来技術の構造による欠点を回避するシャワーオーディオシステムを提供することである。
【課題を解決するための手段】
【０００６】
本発明の実施形態によると、シャワーオーディオスピーカーシステムは、シャワーの流れの邪魔にならないところに、シャワーヘッドの外周の周りに取り外し可能に適合するよう構成されたシャワーヘッドに取付可能なオーディオスピーカーユニットを含む。防水ハウジングは、１または複数のスピーカー（ウーファー、ミッドレンジスピーカー、イーターおよびクロスオーバーなどの様々なスピーカードライバーを含むことができる）を含スピーカー部品、１または複数の音源コネクタ、音源からオーディオデータを処理し、かつ音を出力するオーディオ電子機器、およびバッテリーなどの１または複数の電源を囲む。使用者のアクセスを容易にするために、オン／オフスイッチ、音量制御、および／または音源入力切替などの１または複数の制御ボタンをハウジングの外面に取り付けることができる。
【０００７】
本発明の好ましい実施形態によると、発明的なスピーカーユニットは、音源から無線で流れるオーディオコンテンツを受信し、レンダリングするよう構成される。スピーカーユニットはまた、有線の音源からの音を処理することができる。
【０００８】
スピーカーユニットは、磁石、クリップ、ベルクロ（登録商標）、摩擦嵌合、または任意の他の適切な留め具、または留め具の組み合わせを用いてシャワーヘッドに取り外し可能に取り付けることができる。
【０００９】
いくつかの実施形態では、特定のシャワーヘッドで使用するためにスピーカーユニットを構成することができる。つまり、シャワーヘッドは、スピーカーユニットに連結された場合に、シームレスな見た目が良い製品を形成するような寸法にすることができる。さらに、スピーカーユニットへの連結を容易にするようにシャワーヘッドハウジング上に、または中に１または複数の取付機構を設けることができる。いくつかの実施形態では、例えば取付機構は、スピーカーユニットハウジング内に取り付けられた対応する磁石に位置合わせされた、シャワーヘッド内に取り付けられた磁石を含むことができる。取付機構は、またスピーカーユニットハウジングに設けられた類似の機構に相補的なクリップ、ベルクロ（登録商標）、または留め具を含むことができる。
【００１０】
いくつかの実施形態では、スピーカーユニットハウジングは、多様なシャワーヘッドに結合するよう設計されたユニバーサルハウジングとすることができる。このような機能性を促進するために、ハウジングは、特定のシャワーヘッドに適合するよう設計されたアダプタに取り外し可能に結合するよう構成することができる。
【００１１】
本発明のさらに他の目的および利点は、明細書から一部が明白に、かつ一部が明らかになるだろう。
【００１２】
したがって本発明は、本明細書に説明された構造において例示されるような構造の特徴、要素の組み合わせ、および部品の配置を備え、本発明の範囲は、特許請求の範囲に示される。
【００１３】
本発明の実施形態の完全な理解のために、添付の図面に関連する以下の説明を参照されたい。
【図面の簡単な説明】
【００１４】
【図１】本発明の実施形態によるシャワーオーディオシステムを示す。
【図２】シャワーヘッドから取り外された図１に示されたシャワーオーディオシステムのスピーカーユニットを示す。
【図３】本発明の実施形態によるシャワーヘッドおよびスピーカーユニットの分解組立図である。
【図４】本発明の実施形態によるシャワーヘッドに取り付けられたスピーカーユニットの前面図である。
【図５】図４に示すシャワーヘッドに取り付けられたスピーカーユニットの側面図である。
【図６】図４および図５に示されたシャワーヘッドに取り付けられたスピーカーユニットの後面図である。
【図７】図４〜図６に示されるシャワーヘッドに取り付けられたスピーカーユニットの様々な斜視図である。
【図８】図４〜図６に示されるシャワーヘッドに取り付けられたスピーカーユニットの様々な斜視図である。
【図９】図４〜図６に示されるシャワーヘッドに取り付けられたスピーカーユニットの様々な斜視図である。
【図１０】図４〜図６に示されるシャワーヘッドに取り付けられたスピーカーユニットの様々な斜視図である。
【発明を実施するための形態】
【００１５】
図１は、本発明の実施形態によるシャワーオーディオシステム１００を示す。シャワーオーディオシステム１００は、シャワーアーム１０２から延在するシャワーヘッド１１０に取り付け可能なスピーカーユニットハウジング１３０を有するスピーカーユニット１０１を含む。以下により詳細に説明されるように、スピーカーユニットハウジング１３０は、様々なスピーカーユニット部品のための防水性の筐体を提供する。
【００１６】
シャワーオーディオシステム１００また例えばスマートフォン、または他のデジタルオーディオプレーヤーなどの外部電子デバイスとすることができる音源１０３を含む。シャワーオーディオシステム１００は、シャワーの外部に配置された音源１０３から無線でストリーミングされるオーディオをレンダリングすることによって使用者のシャワー時間を豊かにすることができる。オーディオは、シャワーヘッド１１０の外周におけるシャワーの流れの邪魔にならないところに取り付けられたスピーカーユニット１０１を介して再生することができる。
【００１７】
図３は、本発明の実施形態によるシャワーヘッド１１０およびスピーカーユニットハウジング１３０の分解組立図である。シャワーヘッド１１０は、発明的なオーディオシステムを使用するための典型的なシャワーヘッドの単に１つの実施方法を表すものであることを理解されるべきである。他のシャワーヘッド実施方法も可能であり、本明細書に開示されるスピーカーユニットハウジングは、例えば、正方形、卵形、六角形、長方形、または不規則な形のシャワーヘッドなど、異なる形およびタイプの多様なシャワーヘッドと組み合わせるように構成することができる。
【００１８】
シャワーヘッドの分野において一般的に知られるように、シャワーヘッド１１０は、前部シャワーヘッド本体１１２ａ、後部シャワーヘッド本体１１２ｂ、スプレー面１１４、シャワーアーム連結部１１６、前部ガスケット１１８ａ、後部ガスケット１１８ｂ、シャワーヘッド磁石１２０、および留め具１２４を含む。前部シャワーヘッド本体１１２ａ、後部シャワーヘッド本体１１２ｂ、およびシャワーヘッド１１０から水を出すためのスプレーノズルを含むスプレー面１１４は、シャワーヘッド１１０の外側ハウジングを形成する。したがって、これらの構成要素は、見た目が良く、温かい、湿ったシャワー環境における長時間の使用による損傷または劣化に対して耐性がある材料から形成されるか、またはそのような材料で仕上げられている。このような材料は、例えばステンレス鋼、クロム、またはプラスチックを含むことができる。
【００１９】
スプレー面１１４をシャワーアーム連結部１１６に取り付けるために、留め具１２４は、スプレー面１１４の開口部に挿入可能であり、かつシャワーアーム連結部１１６のネジ付き開口部に回転可能に連結することができる。留め具１２４は、例えばネジまたはボルトなどの任意のタイプの適切な留め具とすることができる。シャワーアーム連結部１２４は、水密方式で（例えば、入り組んだシールを形成するために円錐ネジを用いて）後部シャワーヘッド本体１１２ｂのネジ付き開口部に螺合可能に係合するよう設計されたネジ付き端部を含む。他の実施形態においては、ワッシャー、または他の適切なガスケットまたはシールがシャワーアーム連結部１２４の停止部および後部シャワーヘッド本体１１２ｂの対応する面の間に挟まれ、２つの構成要素の間に水密シールを提供する。最後に、シャワーアーム連結部１２４は、図１のシャワーアーム１０２などのシャワーアーム連結可能である（例えば、シャワーアームに螺合可能に係合することによって）。シャワーヘッド筐体を完成させるために、前部シャワーヘッド本体１１２ａは、スプレー面１１４および／または後部シャワーヘッド本体１１２ｂに螺合可能に係合、またはクリップされる。
【００２０】
前部ガスケット１１８ａが前部シャワーヘッド本体１１２ａおよびスプレー面１１４の間に挟まれ、構成要素を保護し、かつスプレー面１１４の半径方向縁部がシャワーヘッド本体部品１１２ａおよび１１２ｂと共に水密シールを形成することを確実にする。同様に、後部ガスケット１１８ｂは、後部シャワーヘッド本体１１２ｂおよびシャワーアーム連結部１２４の間のスプレー面１１４の半径方向縁部において、および／またはその周囲に水密シールを形成する。
【００２１】
本発明の実施形態によると、後部ガスケット１１８ｂは、シャワーヘッド磁石１２０を収容する１または複数の凹所１１８ｃを含む。シャワーヘッド１１０およびスピーカーユニットハウジング１３０の間に取り外し可能な磁気連結部を提供するために、シャワーヘッド１１０の半径方向の外周の周りにおいて任意の適切な数の凹所１１８ｃおよびシャワーヘッド磁石１２０を用いることができる。例えば、いくつかの実施形態では、９個のシャワーヘッド磁石１２０を９個の対応する凹所１１８ｃに挿入することができ、他の実施形態においては、３個のシャワーヘッド磁石１２０を３個の対応する凹所１１８ｃに挿入することができる。シャワーヘッド１１０に設けられたシャワーヘッド磁石１２０の数、および配置は、シャワーヘッド１１０の形、シャワーヘッド磁石１２０の強度、スピーカーユニット１０１の重量、および／またはスピーカーユニットハウジング１３０の内部に設けられた磁石の数および配置を含むいくつかの要因に依存する。
【００２２】
スプレー面１１４を通る水の流れに影響を及ぼさないシャワーヘッドオーディオシステムを提供するために、スピーカーユニットハウジング１３０は、シャワーヘッド１１０半径方向の周囲の少なくとも一部分の周りにぴったりと取り付けるように形成されている。これは、円筒形状シャワーヘッド１１０と係合する、および取り外されているリング形状スピーカーユニット１０１をそれぞれ示す図１および図２に示されている。
【００２３】
図３に戻り参照すると、スピーカーユニットハウジング１３０は、前部ハウジング本体１３２ａ、後部ハウジング本体１３２ｂ、滑り止め部品１３４、オーディオ電子機器１３６、スピーカー１３８、ハウジング磁石１４０、ボタン１４２、外部入力ジャック１４４、およびバッテリー１４６を含む。シャワーヘッド１１０のように、スピーカーユニットハウジング１３０は、温かいおよび湿ったシャワー環境に耐えることができる任意の適切な材料（例えばステンレス鋼、クロム、またはプラスチック）から形成されるか、またはそのような材料によって仕上げられている。様々な実施形態によると、スピーカーユニットハウジング１３０は、シャワーヘッド１１０に用いられるものと同じ材料または異なる材料から形成されるか、および／またはそのような材料でめっきされている。
【００２４】
前部ハウジング本体１３２ａおよび後部ハウジング本体１３２ｂは、スピーカーユニットハウジング１３０の内部部品のための水密筐体を形成する。水がスピーカーユニットハウジング１３０を通ることを防止することにより、内部のオーディオ部品を損傷から保護する。したがって、前部ハウジング本体１３２ａおよび後部ハウジング本体１３２ｂがどのように共に結合されているのか（例えばネジ連結、１または複数のクリップ、または１または複数の留め具を用いて）に関わらず、ガスケットまたは同様のシールが好ましくその間に挟まれて、水密シールを提供する。
【００２５】
スピーカーユニットハウジング１３０の１または複数の部分は、ハウジング磁石１４０を収容する凹所を含むことができる。これらの凹所および磁石は、スピーカーユニットハウジング１３０の内部半径方向面の周りのシャワーヘッド１１０のシャワーヘッド磁石１２０の位置に対応する位置に配置されることができる。いくつかの実施形態では、ハウジング磁石１４０の数および位置は、シャワーヘッド１１０のシャワーヘッド磁石１２０の数および位置に直接対応することができる。しかし、他の実施形態においては、ハウジング磁石１４０およびシャワーヘッド磁石１２０の間の容易な位置合わせのために、より多いか、またはより少ないハウジング磁石１４０を設けることができる。したがって、特定の実施形態においては、シャワーヘッド１１０に９個のシャワーヘッド磁石１２０を設けることができ、スピーカーユニットハウジング１３０に３個のハウジング磁石１４０を設けることができる。スピーカーユニットハウジング１３０がシャワーヘッド１１０の周りに配置された場合、シャワーヘッド磁石１２０およびハウジング磁石１４０は、スピーカーユニットハウジング１３０をシャワーヘッド１１０に取り外し可能に結合する。いくつかの実施形態では、シャワーヘッド磁石１２０またはハウジング磁石１４０は、例えば強磁性材料などの磁気吸着部材によって置き換えることができる。
【００２６】
他の実施形態において、磁石の代わりに、または磁石に加えて、クリップ、フックおよびループ留め具（例えばベルクロ（登録商標））、摩擦嵌合、または任意の適切な留め具または留め具の組み合わせをスピーカーユニットハウジング１３０をシャワーヘッド１１０に結合するために用いることができる。
【００２７】
シャワーヘッド１１０およびスピーカーユニットハウジング１３０間の適切な位置合わせを提供するために、さねはぎ形状部材を追加的に用いることができる。例えば、シャワーヘッド１１０は、スピーカーユニットハウジング１３０の表面に形成された対応する長手方向溝に結合するよう構成された１または複数の長手方向舌片部材（図示せず）を含むことができる。しかし、当業者は、溝をシャワーヘッド１１０に形成し、舌片をスピーカーユニットハウジング１３０に形成することができることを理解するだろう。
【００２８】
滑り止め部品１３４をスピーカーユニットハウジング１３０の内側半径方向縁部に取り付けることができ、２つの部品が共に連結される場合にシャワーヘッド１１０に対してスピーカーユニットハウジング１３０が動くことを防ぐ、スピーカーユニットハウジング１３０およびシャワーヘッド１１０の間の滑り止め層として機能する。滑り止め部品１３４は、例えばゴムまたはシリコーンなどの任意の適切な摩擦促進材料から形成することができる。例えば接着剤を用いて、または摩擦嵌合などによる任意の適切な方法で滑り止め部品１３４をスピーカーユニットハウジング１３０に取り付けることができる。
【００２９】
いくつかの実施形態では、滑り止め部品１３４は、スピーカーユニットハウジング１３０を特定のシャワーヘッドに取り付けることができるアダプタである。したがって、異なる滑り止め部品を用いることによって、スピーカーユニットハウジング１３０を多様なシャワーヘッドに使用するように適合させることができる。一般的に、滑り止め部品の外側寸法は、スピーカーユニットハウジング１３０に適合するよう設計され、滑り止め部品の内側寸法は、特定のシャワーヘッドに適合するよう設計される。滑り止め部品はまた、追加的な水挿入障壁を提供するよう構成される。
【００３０】
水密性とすることができるスピーカーユニットハウジング１３０は、スピーカー部品を囲む。これらのスピーカー部品は、ウーファー、ミッドレンジスピーカー、ツイーター、およびクロスオーバーなどのスピーカードライバを様々含むことができる１または複数のスピーカー１３８を含む。
【００３１】
オーディオ電子機器１３６はまた、スピーカーユニットハウジング１３０に囲まれて、オーディオ入力源からのオーディオ信号を受信し、スピーカー１３８を通じて音声を出力する。オーディオ電子機器１３６がデジタルオーディオ信号を受信するよう構成されている実施形態では、スピーカー１３８を介して出力するのに適切な音声にデジタルオーディオ信号を変換するためにデジタル−アナログコンバータ（ＤＡＣ）を使用することができる。オーディオ電子機器１３６は、留め具および接着剤の任意の適切な組み合わせを用いてスピーカーユニットハウジング１３０内に固定的に取り付けることができる。いくつかの実施形態では、オーディオ電子機器１３６をスピーカーユニットハウジング１３０内の水密ハウジングに入れることができる。
【００３２】
１または複数の電力供給ラインを介して電力をオーディオ電子機器１３６およびスピーカー１３８に提供することができるバッテリー１４６をスピーカーユニットハウジング１３０の追加的な水密ハウジング内に密閉することができる。電力をオーディオ電子機器１３６に提供するためにシャワーヘッドを通る水の流れによって電気を生成するなど、バッテリー１４６の代わりの電源を使用することができることが理解されるべきである。
【００３３】
オーディオ入力源は、アナログまたはデジタルオーディオ信号をオーディオ電子機器１３６に供給することが可能な任意の適切な入力源とすることができる。このようなオーディオ入力源は、例えば、ＡＭ／ＦＭラジオチューナー、サテライトラジオチューナー、ＣＤプレーヤー、および／またはデジタルオーディオプレーヤーを含むことができる。オーディオ電子機器１３６は、任意のまたは全ての前述の音源および／または開発中の類似の音源を扱うよう構成することができる。多様な実施形態によると、スピーカーユニットハウジング１３０は、ＢＬＵＥＴＯＯＴＨ（登録商標）トランシーバー、ＷｉＦｉ（登録商標）トランシーバー、および／またはカリフォルニア州クパティーノのＡｐｐｌｅ社から入手可能なＡＩＲＰＬＡＹ（登録商標）トランシーバーなどの１または複数の無線データインターフェースを含むことができる。スピーカーユニットハウジングはまた、有線源（例えばデジタルメディアプレーヤー）からのオーディオ信号を受信する１または複数の外部入力ジャック１４４を含むことができる。外部入力ジャック１４４の例は、例えばヘッドフォンジャック、ＨＤＭＩ（登録商標）ジャック、光学デジタルジャック、ステレオＲＣＡジャック、フォノジャック、および／またはＵＳＢジャックを含むことができる。
【００３４】
オーディオシステムの様々な態様を制御するために、多様なボタン１４２をスピーカーユニットハウジングに取り付けることができる。図１に描かれる実施形態において、ボタン１４２ａおよび１４２ｂは、それぞれ音量アップ／ダウン制御を提供する。ボタン１４２ｃは、ＢＬＵＥＴＯＯＴＨ（登録商標）対応のオーディオ入力源とスピーカーユニットハウジング１３０のペアリングを容易にする。また、例えばオン／オフ機能、オーディオ入力源選択機能、および／または音源特定機能（例えば早送り、巻き戻し、再生／一時停止、チャネル選択、および／またはチューニング機能）などの他のオーディオシステム機能を制御するために、他のボタンおよび／またはスイッチをスピーカーユニットハウジング１３０に設けることができる。
【００３５】
図４〜図１０は、いくつかの実施形態によるシャワーオーディオシステム１００のさらなる図を示す。
【００３６】
したがって、本発明は、独立のシャワーオーディオシステムが必要ないシャワーヘッドオーディオシステムを提供し、音声をレンダリングすることによって使用者のシャワー時間を豊かにし、音声は、シャワーヘッドのシャワーの流れを邪魔しないところに取り外し可能に取り付けられたスピーカーユニットを介してシャワーの外に配置された音源から無線でストリーミングされ得る。
【００３７】
本発明の実施形態は、ソフトウェアまたはハードウェア、または両方の組み合わせにおける制御ロジックの形で実行され得る。例えば、特定用途集積回路、または、プログラマブルロジック回路を用いることによって特定の実施形態を実行することができる。通常、従来技術において既知の任意の適切な手段によって特定の実施形態の機能を達成することができる。データまたは命令の通信または送信は、有線、無線、または任意の他の適切な手段とすることができる。また、実施形態の要素は、特定の用途によって有効または無効とすることができる。
【００３８】
さらに、前述により明らかにされた態様、特徴、および利点は、効果的に得られ、本発明の精神と技術範囲から逸脱することなく開示された発明的な実施形態にある変更を加えることができるため、本明細書に含まれる全ての事項は、例示的、かつ非限定的な意味に解釈されるべきであることが意図されていることが理解されるべきである。
【００３９】
以下の請求項は、本明細書に記載された本発明の全ての一般的、かつ特定の特徴、本発明の範囲の全ての記述をカバーすることが意図されていることをまた理解すべきである。
【符号の説明】
【００４０】
１００  シャワーオーディオシステム
１０１  スピーカーユニット
１０２  シャワーアーム
１０３  音源
１１０  シャワーヘッド
１１２ａ  前部シャワーヘッド本体
１１２ｂ  後部シャワーヘッド本体
１１４  スプレー面
１１６  シャワーアーム連結部
１１８ａ  前部ガスケット
１１８ｂ  後部ガスケット
１１８ｃ  凹所
１２０  シャワーヘッド磁石
１２４  留め具
１３０  スピーカーユニットハウジング
１３２ａ  前部ハウジング本体
１３２ｂ  後部ハウジング本体
１３４  滑り止め部品
１３６  オーディオ電子機器
１３８  スピーカー
１４０  ハウジング磁石
１４２  ボタン
１４４  外部入力ジャック
１４６  バッテリー
【図１】
2017513348.tif 000003
【図２】
2017513348.tif 000004
【図３】
2017513348.tif 000005
【図４】
2017513348.tif 000006
【図５】
2017513348.tif 000007
【図６】
2017513348.tif 000008
【図７】
2017513348.tif 000009
【図８】
2017513348.tif 000010
【図９】
2017513348.tif 000011
【図１０】
2017513348.tif 000012
【国際調査報告】
2017513348.tif 000013
2017513348.tif 000014